(57)【特許請求の範囲】
【請求項１】
島長手方向に列設される複数の遊技機とその関連設備とから構成される遊技機島において、
島全体の土台をなす島下段を、各遊技機を載置する天板と該天板下側より垂下する腰部支持板とフロア上に載置する底面板とを一体的に組み付けて下段ユニットとして構成し、
前記下段ユニットの長手方向の一端側を開口し、各遊技機から排出される遊技媒体を受入れる長手方向に分割された複数の貯留タンクを連接し、該貯留タンクを前記開口から前記下段ユニット内に収納するためのレール手段を前記下段ユニットの底面板上に設置したことを特徴とする遊技機島。
【発明の詳細な説明】
【０００１】
【発明の属する技術分野】
本発明は、島長手方向に列設される複数の遊技機とその関連設備とから構成される遊技機島に関する。ここで遊技機とは主としてパチンコ機を指すものであり、遊技媒体はパチンコ球である。
【０００２】
【従来の技術】
従来、この種の遊技機島における島下段は、島施工現場にて先ず島全体を支える強度を備えた島柱等の支持フレームをフロア上に立設し、この支持フレームに外壁を成す腰板を装着し、また腰板の上端縁側に複数のパチンコ機を設置するための天板を別途固着して構築されていた。
【０００３】
また、島下段内には島内に多量のパチンコ球を貯留するための貯留タンクが配設されている。かかる貯留タンクは、前記支持フレームや腰板とは全く別個独立に、支柱等の支持部材を介してフロア上に据え付けられていた。
【０００４】
【発明が解決しようとする課題】
しかしながら、前述したような従来技術では、遊技機島の施工現場にて先ず最初に構築する島下段からして、その内部に島全体の支持フレームとは独立に貯留タンクやその関連資材を設置し、また支持フレームに腰板や天板等の資材をそれぞれ別々に順次組み付けていかねばならない。従って、現場における遊技機島の組付け資材・部品の点数や、組付け工数が嵩んで時間もかかり、コストを低減する際の大きな支障になるという問題点があった。
【０００５】
また、別々の資材を施工現場で組み付ける関係上、施工現場までの資材の運搬や、組み付け時における各資材間の位置決めや精度出しも極めて煩雑で面倒であった。更に、島全体の剛性面から見れば、島下段側の支持フレームに頼るところが大きく、強度的にも不安があった。
【０００６】
更にまた、島下段内に配設された貯留タンクを点検したり修理するような場合には、島下段の腰板や天板をいったん取り外さねばならず、この取り外し作業自体が大変であり、しかも貯留タンクを島外部に取り出すことは困難であるため、極めて狭いスペース内でタンクを部分的にしか点検・修理することができず不便であった。
【０００７】
本発明は、以上のような従来技術の有する問題点に着目してなされたもので、少ない資材で構築でき、しかも組立て自体が極めて簡易かつ容易であり、島の施工時間を大幅に短縮することができ、また十分な強度を得ることもでき、更に貯留タンクを島下段内に容易に収納設置したり、外部に取り出すことができタンクの十分な点検・修理が可能な遊技機島を提供することを目的としている。
【０００８】
【課題を解決するための手段】
前述した目的を達成するための本発明の要旨とするところは、以下の項に存する。
【０００９】
［１］島長手方向に列設される複数の遊技機（１１）とその関連設備とから構成される遊技機島（１０）において、
島全体の土台をなす島下段（１０Ａ）を、各遊技機（１１）を載置する天板（２１）と該天板（２１）下側より垂下する腰部支持板（２２）とフロア上に載置する底面板（２３）とを一体的に組み付けて下段ユニット（２０）として構成し、
前記下段ユニット（２０）の長手方向の一端側を開口し、各遊技機（１１）から排出される遊技媒体を受入れる長手方向に分割された複数の貯留タンク（３０）を連接し、該貯留タンク（３０）を前記開口から前記下段ユニット（２０）内に収納するためのレール手段（２４）を前記下段ユニット（２０）の底面板（２３）上に設置したことを特徴とする遊技機島（１０）に存する。
【００１２】
次に前述した解決手段に基づく作用を説明する。
［１］記載の遊技機島（１０）によれば、島下段（１０Ａ）は、天板（２１）と該天板（２１）下側より垂下する腰部支持板（２２）と底面板（２３）とを一体的に組み付けた下段ユニット（２０）から構成されるので、かかる下段ユニット（２０）を予め工場等で量産でき、施工現場では下段ユニット（２０）を構成する部材間の精度出しや組付け作業は不要となる。
【００１３】
それにより、島下段（１０Ａ）を構成するための資材点数は従来技術に比して削減され、また組み付け工数も削減されて、島の施工現場における島下段（１０Ａ）の組立ては極めて簡易かつ容易となり、施工時間を大幅に短縮することができる。また、島全体の土台を成す島下段（１０Ａ）を最初から一体の下段ユニット（２０）とするため、十分な強度に設定することができる。
【００１４】
また、下段ユニット（２０）の少なくとも一端側を開口させ、該開口より貯留タンク（３０）を下段ユニット（２０）内に収納するため、島下段（１０Ａ）内への貯留タンク（３０）の設置が簡単なだけでなく、前記開口より貯留タンク（３０）を外部に引き抜くように容易に取り出すことができ、貯留タンク（３０）全体を十分に点検したり修理することも簡易かつ迅速に行える。
【００１５】
さらに［１］記載の遊技機島（１０）によれば、前記貯留タンク（３０）を前記下段ユニット（２０）内にてその底面板（２３）上をレール手段（２４）で長手方向に移動させることができるので、確実かつ円滑に貯留タンク（３０）を島下段（１０Ａ）内に収納設置したり、また島下段（１０Ａ）外に引き抜くように取り出すことができる
【００１６】
また［１］記載の遊技機島（１０）によれば、前記貯留タンク（３０）はその長手方向に分割された複数のタンクブロック（３１，３２…）を連接して成るから、島の長手方向の全長に応じてタンクブロック（３１，３２…）を適宜組合せることで、最適な寸法の貯留タンク（３０）を極めて容易に形成することができる。
【００１７】
【発明の実施の形態】
以下、図面に基づき本発明の各種の実施形態を説明する。
図１〜図７は本発明の第１の実施の形態を示している。
本実施形態に係る遊技機島１０は、列設される複数の遊技機としてのパチンコ機１１，１１…や、各パチンコ機１１で使う遊技媒体であるパチンコ球を貸し出す球貸機１９、それに貨幣搬送装置７０等の関連設備から構成されている。かかる遊技機島１０は、本発明の根幹をなす島下段１０Ａの上に、各パチンコ機１１や球貸機１９が列をなす島中段１０Ｂ、島最上部をなす島上段１０Ｃを構築して成る。
【００１８】
図１〜図３に示すように、遊技機島１０の土台を成す島下段１０Ａは、島全体を支える十分な強度を備えた一対の下段ユニット２０，２０の内部に、それぞれ貯留タンク３０を収納設置して構成されている。一対の下段ユニット２０，２０は島全長に亘って延びており、島中央を境に互いに対称となるよう配されている。各下段ユニット２０は、各パチンコ機１１を載置する天板２１と、該天板２１下側より垂下する腰部支持板２２と、フロア上に載置する底面板２３とを一体的に組み付けて成る。
【００１９】
下段ユニット２０の両端は共に開口２０ａ，２０ｂとして開放されており、通常は島端側の開口２０ｂから貯留タンク３０をユニット内部に収納設置したり外部に引き出せるようになっている。島中央側の開口２０ａは必ずしも設ける必要はない。なお、島端側の開口２０ｂは、遊技機島１０が稼動可能な最終形態として完成する前後に化粧板等で塞げばよい。
【００２０】
天板２１の島内側に位置する中央部には長手方向に延びる球落下口２１ａが形成されている。また、腰部支持板２２の要所には必要に応じて取っ手ともなる内部点検用の覗き孔２２ａが形成されている。更に底面板２３の上面両端側には、互いに平行に延びる一対のレール部材２４，２４が釘あるいは接着剤等により固着されている。各レール部材２４は、次述する貯留タンク３０を下段ユニット２０内の底面板２３上で長手方向にスムーズに移動させるためのレール手段である。
【００２１】
変形例として例えば図６に示すように、下段ユニット２０の底面板２３に、各レール部材２４の下半部がレール全長に亘って嵌合する取付け溝２３ａを予め形成しておけば、レール取付け時の位置決めが容易であり、しかも釘あるいは接着剤等を使うことなく、単に嵌め込むようにして各レール部材２４を簡単に底面部２３に固着することができる。
【００２２】
貯留タンク３０は全体的に見れば、島長手方向に延びる両側壁と、島中央付近に配される前壁、島端付近に配される後壁、それに後壁から前壁へ向って下方へ傾斜する底部とから箱状枠形に形成され、略水平な上面側は大きく開口し、各パチンコ機１１から排出されたパチンコ球を受入れられるようになっている。
【００２３】
かかる貯留タンク３０は、その長手方向に分割された複数のタンクブロック３１〜３４を連接して成る。島中央付近に配される一番容量の大きなタンクブロック３１には前壁が形成され、島端付近に配される容量の小さなタンクブロック３４には後壁が形成されている。
【００２４】
貯留タンク３０の全体的な大きさは、設置する遊技機島１０にて貯留すべきパチンコ球の量に応じて適宜決めればよく、例えば図中におけるタンクブロック３４を除いても構わない。この場合、端となるタンクブロック３３に後壁を形成することになる。個々のタンクブロック３１〜３４には、相互の連結機構は特になく、これらは単に、脚部３７Ａ〜３７Ｅによって略水平面に対し傾くように支持された台座３６の上に滑らかに連続するように載置されて一体の貯留タンク３０を成している。
【００２５】
もちろん、貯留タンク３０を複数のタンクブロック３１〜３４に分割することなく、始めから所定の大きさの一つのタンクとして一体成形してもよい。なお、貯留タンク３０内のパチンコ球は自重で島中央側へと流下し、図示省略した研磨揚送装置の下端に集まるように設定されている。
【００２６】
台座３６の脚部３７Ａ〜３７Ｅの下端には、前述した下段ユニット２０のレール部材２４に対してスムーズに移動可能に外嵌する馬蹄形のベアリング３８が設けられている。ベアリング３８の内側にはレール部材２４に接触する多数のボールが転動可能に馬蹄形に密に並ぶよう配されている。なお、移動性は損なわれるが、脚部３７Ａ〜３７Ｅの下端にベアリング３８を設けることなく、単にレール部材２４に摺動可能に嵌合する凹部を形成したり、更にはレール部材２４自体を省いて構成してもよい。
【００２７】
図１に示すように、島下段１０Ａの天板２１上には、各パチンコ機１１の下端が島長手方向に摺動可能に嵌合する下方レール部材１２が設けられており、後述する島上段１０Ｃの下面部４２には、各パチンコ機１１の上端が島長手方向に摺動可能に嵌合する上方レール部材１３が設けられている。島中段１０Ｂは、上方レール部材１３と下方レール部材１２との間に、各パチンコ機１１を摺動させて配置して成り、各パチンコ機１１は、島下段１０Ａ上に立設された中段支持体１５を間にして前後２列に配されている。
【００２８】
パチンコ機１１はハンドル操作によってパチンコ球を盤面上に打ち出し、打球の入賞を競い楽しむものであり、正面側には球を機内に導入する前皿や、球貯留用の予備皿等が設けられている。各パチンコ機１１間に介装された球貸機１９は、後述する鑑別呼出装置５０からの信号を受けた際に、相当数の球を計数しつつ払い出すものである。かかる球貸機１９はパチンコ機１１と略同一の奥行幅に設定されており、球貸機１９も各パチンコ機１１と同様に、上下のレール部材１２，１３間を摺動させて配置されている。
【００２９】
島中段１０Ｂの上側に構築される島上段１０Ｃは、その上面部４１や下面部４２、それに外壁をなす幕板４３や内部の仕切板４５等から構成された枠組内に、鑑別呼出装置５０、紙幣や硬貨を島長手方向に搬送する貨幣搬送装置７０、それに各パチンコ機１１にパチンコ球を供給する給配樋４６等を配設して成る。給配樋４６は仕切板４５間にて高さ位置を調整できる。給配樋４６の途中箇所には、図示省略したが各パチンコ機１１及び各球貸機１９に対応した球の供給部材が取付けられている。
【００３０】
鑑別呼出装置５０は、紙幣や硬貨の投入口５１に連通する貨幣鑑別機に、呼出ボタン及びランプを一体的に設けて構成されている。ここで貨幣鑑別機は、投入された紙幣や貨幣を磁気・光方式で特定する各種センサの他、ＣＰＵ，ＲＡＭ，ＲＯＭ等を含むマイクロコンピュータを備えている。鑑別呼出装置５０から排出された紙幣や硬貨を搬送する貨幣搬送装置７０は、島長手方向に延びるように張設したコンベヤベルトを具備して成る。
【００３１】
次に第１の実施の形態における作用を説明する。
図１〜図３に示すように、遊技機島１０の土台を成す島下段１０Ａは、天板２１と腰部支持板２２と底面板２３とを一体的に組み付けた下段ユニット２０からほぼそのまま構成されるため、資材点数は従来の島に比して著しく削減され、また組み付け工数も削減されて、島の施工現場における島下段１０Ａの組立ては極めて簡易かつ容易となる。
【００３２】
すなわち、遊技機島１０の構築に費やされる施工時間が大幅に短縮され、コスト低減が可能となる。また、島下段１０Ａは別々の部材の寄せ集め的な組付けではなく、最初から一体強固なユニットであるため、十分な強度を得ることもできる。更に、下段ユニット２０は工場等で量産することも可能となる。
【００３３】
図４に示すように、下段ユニット２０の島端側に位置する一端側は開口２０ｂとして開設されており、この開口２０ｂより貯留タンク３０を下段ユニット２０内に収納することができる。このように、島下段１０Ａ内への貯留タンク３０の設置が簡単なだけでなく、前記開口２０ｂより貯留タンク３０を外部に引き抜くように容易に取り出すことができ、貯留タンク３０全体を十分に点検したり修理することも簡易かつ迅速に行える。
【００３４】
特に本実施形態の場合には、下段ユニット２０の底面板２３側のレール部材２４に対して、貯留タンク３０を支持する脚部３７Ａ〜３７Ｅのベアリング３８が移動可能に嵌合しているから、図７に示す如く貯留タンク３０を下段ユニット２０内の長手方向に沿ってスムーズに移動させて極めて容易に収納したり取り出すことができる。
【００３５】
また、貯留タンク３０は、その長手方向に分割された複数のタンクブロック３１〜３４を連接して成るから、取扱いに便宜である。しかも、各タンクブロック３１，３２…を適宜取捨選択して組合せることにより、予想されるパチンコ球貯留量に応じた最適な寸法の貯留タンク３０を極めて容易に形成することができる。
【００３６】
前述した島下段１０Ａ上の島中段１０Ｂの構築に際しては、島下段１０Ａ側の下方レール部材１２と島上段１０Ｃ側の上方レール部材１３との間に、各パチンコ機１１や球貸機１９を島長手方向に移動させつつ列をなすよう設置すればよい。それにより、島組立て時に各パチンコ機１１の取付スペースの厳密な位置設定が不要となり、単に各パチンコ機１１や球貸機１９を島端から順次並ぶように詰めれば適所に配置でき、島の組立て作業を能率的かつ迅速に行なうことができる。
【００３７】
また、パチンコ機１１の設置中において、パチンコ機１１を島長手方向に適宜移動させて取付位置の誤差を解消することもできる。更に組立て後に、パチンコ機１１を新しい機種と交換するような場合には、かかる交換作業はパチンコ機１１を１台ずつ移動させて島端から外し、新たに導入するパチンコ機１１を、その横幅を気にすることなく端から順に詰まるように配置すればよく、従来煩雑であった遊技機の交換作業も非常に簡単に行なうことができる。
【００３８】
図８及び図９は本発明の第２の実施の形態を示している。
本実施形態では、各タンクブロック３１Ａ，３２Ａ，３３Ａを載置するような台座３６はなく、容量の大きい２つのタンクブロック３１Ａ，３２Ａの一端縁側に、これと対接する他のタンクブロックの他端縁と嵌合するための顎部３９が形成されている。また、各タンクブロック３１Ａ，３２Ａ，３３Ａ毎にそれぞれ脚部３７Ｆ〜３７Ｋが設けられている。
【００３９】
一番容量の大きなタンクブロック３１Ａの前壁や、島端付近に配される容量の小さなタンクブロック３３Ａの後壁は適宜設ければよいものである。また、脚部３７Ｆ〜３７Ｋの下端には必要に応じて前記ベアリング３８を設けてもよい。このような実施形態によれば、台座３６が不要となる分だけ、部品点数が減り、組付けも容易に行うことができる。
【００４０】
なお、本発明に係る遊技機島は図示した実施の形態に限定されるものではない。例えば、遊技機はパチンコ機に限定されるものではなく、遊技媒体にメダルを用いるスロットマシン等でもかまわない。
【００４１】
【発明の効果】
本発明に係る遊技機島によれば、島下段を天板と腰部支持板と底面板とを一体的に組み付けて下段ユニットとして構成し、この下段ユニットの端部開口より貯留タンクをユニット内に収納設置したから、複数の貯留タンクを連接して収納することができるとともに、少ない資材で構築でき、しかも組立て自体が極めて簡易かつ容易であり、島の施工時間を大幅に短縮することができ、また十分な強度を得ることもでき、更にレール手段を前記下段ユニットの底面板上に設置しているから前記下段ユニットの長手方向全域にわたり配設するように分割された複数のタンクブロックを連接して構成した貯留タンクを島下段内に容易に収納設置したり、外部に取り出すことができてタンクの十分な点検や修理を簡単に行うことができる。
【図面の簡単な説明】
【図１】本発明の第１実施形態に係る遊技機島を概略的に示す横断面図である。（図２のＩ−Ｉ断面図である。）
【図２】本発明の第１実施形態に係る遊技機島を示す正面図である。
【図３】本発明の第１実施形態に係る遊技機島における島下段の下段ユニットと貯留タンクを示す斜視図である。
【図４】本発明の第１実施形態に係る遊技機島における島下段の下段ユニットと貯留タンクを示す端面図である。
【図５】本発明の第１実施形態に係る遊技機島における島下段を示す縦断面図である。
【図６】下段ユニットの底面板に取付けるレール部材の変形例を示す端面図である。
【図７】本発明の第１実施形態に係る遊技機島における島下段の下段ユニット内に貯留タンクを収納する状態を示す説明図である。
【図８】本発明の第２実施形態に係る遊技機島の貯留タンクを示す縦断面図である。
【図９】本発明の第２実施形態に係る遊技機島における島下段の下段ユニット内に貯留タンクを収納する状態を示す説明図である。
【符号の説明】
１０…遊技機島
１０Ａ…島下段
１０Ｂ…島中段
１０Ａ…島上段
１１…パチンコ機（遊技機）
２０…下段ユニット
２１…天板
２２…腰部支持板
２３…底面板
２４…レール部材（レール手段）
３０…貯留タンク
３１〜３４…タンクブロック
３８…ベアリング
【図１】
0003805415.tif 000002
【図２】
0003805415.tif 000003
【図３】
0003805415.tif 000004
【図４】
0003805415.tif 000005
【図５】
0003805415.tif 000006
【図６】
0003805415.tif 000007
【図７】
0003805415.tif 000008
【図８】
0003805415.tif 000009
【図９】
0003805415.tif 000010